(57)【要約】【課題】エレベータの乗り場の敷居の長手方向と仰角の調整が可能なエレベータ乗り場敷居調整治具を実現する。【解決手段】上下に芯出し用の切欠きを形成した調整治具２４ａ，２４ｂを三方枠の左右縦枠１４ａ，１４ｂ近傍の敷居１３に取り付け、敷居１３の位置を調整するピアノ線１６ａ，１６ｂでそれぞれの調整治具２４ａ，２４ｂの切欠き２４３，２４４に位置合わせするようにした。これにより、エレベータの乗り場の敷居１３の長手方向の水平と、乗り場の床面に対する仰角の調整時間の短縮化を図ることができる。【選択図】図１
2014028672.tif 000002
【特許請求の範囲】
【請求項１】
乗り場の敷居の位置調整を行うエレベータ乗り場敷居調整治具であって、
前記敷居の側面に固定し、上部および下部調整片のそれぞれに切欠きが形成された調整治具を備え、
前記エレベータ昇降路の頂部から垂れ下げた芯出し線と前記上部および下部調整片のそれぞれ切欠きとの位置関係で前記敷居の水平方向と前記乗り場面との仰角の調整を行うことを特徴とするエレベータ乗り場敷居調整治具。
【請求項２】
前記上部および下部調整片の前記切欠き周辺の上面にけがき線を施したことを特徴とする請求項１記載のエレベータ乗り場敷居調整治具。
【請求項３】
前記敷居の側面から該敷居の上面に沿う形状の調整部材を、前記敷居に載置し、前記調整部材を前記一対の縦枠との距離調整用としたことを特徴とする請求項１または２に記載のエレベータ乗り場敷居調整治具。
【請求項４】
前記調整部材は、前記敷居の側面の固定する取付片と、該取付片から直角に曲げ前記敷居上面に配置する連結片とから構成したことを特徴とする請求項３記載のエレベータ乗り場敷居調整治具。
【請求項５】
前記調整部材は、前記縦枠のコーナー部分に当接するコーナー部を形成したことを特徴とする請求項３または４記載のエレベータ乗り場敷居調整治具。
【請求項６】
前記コーナー部は、前記連結片の幅を変えることで形成したことを特徴とする請求項５記載のエレベータ乗り場敷居調整治具。
【請求項７】
前記連結片の幅を狭くした部分に目盛りを施したことを特徴とする請求項５記載のエレベータ乗り場敷居調整治具。
【請求項８】
請求項１の上部および下部調整片を備えた調整治具を用い、エレベータ昇降路の頂部から垂れ下げた芯出し線とで敷居の調整を行う敷居調整方法にあって、
先ず、前記芯出し線に対し、前記上部（下部）の調整片の切欠きの正しい位置にくるように調整し、
次に、前記芯出し線に対し、前記下部（上部）の調整片の切欠きの正しい位置にくるように調整したことを特徴とする敷居調整方法。
【発明の詳細な説明】
【技術分野】
【０００１】
この発明は、開閉する出入り口におけるエレベータ乗り場敷居調整治具および敷居調整方法に関する。
【背景技術】
【０００２】
開閉する出入り口のエレベータの乗り場敷居は、乗り場敷居の長手方向の両側に芯出し用の切欠きを設けた敷居調整治具を用い、この切欠きと吊り下げたピアノ線の位置が一致するよう調整し、据え付けを行っている。
【０００３】
このような、調整治具を用いたエレベータの乗り場の敷居調整は、敷居の長手方向の水平調整が行われるだけであり、敷居の仰角の調整は水準器などを用いた別の調整が必要で、エレベータの乗り場敷居調整に手間がかかり調整時間の長時間化を余儀なくされる、という課題があった。
【先行技術文献】
【特許文献】
【０００４】
【特許文献１】特開２０１１−１０５４８６号公報
【発明の概要】
【発明が解決しようとする課題】
【０００５】
この発明が解決しようとする課題は、エレベータの乗り場の敷居の長手方向と仰角調整を可能としたエレベータ乗り場敷居調整治具および敷居調整方法を提供することである。
【課題を解決するための手段】
【０００６】
この発明のエレベータ乗り場敷居調整治具は、乗り場の敷居の位置調整を行うエレベータ乗り場敷居調整治具であって、前記敷居の側面に固定し、上部および下部調整片のそれぞれに切欠きが形成された調整治具を備え、前記エレベータ昇降路の頂部から垂れ下げた芯出し線と前記上部および下部調整片のそれぞれ切欠きとの位置関係で前記敷居の水平方向と前記乗り場面との仰角の調整を行う。
【０００７】
また、この発明の敷居調整方法は、上部および下部調整片を備えた調整治具を用い、エレベータ昇降路の頂部から垂れ下げた芯出し線とで敷居の調整を行う敷居調整方法にあって、先ず、前記芯出し線に対し、前記上部（下部）の調整片の切欠きの正しい位置にくるように調整し、次に、前記芯出し線に対し、前記下部（上部）の調整片の切欠きの正しい位置にくるように調整した。
【図面の簡単な説明】
【０００８】
【図１】この発明のエレベータ乗り場敷居調整治具にかかる第１の実施形態について説明するための概念的な斜視図である。
【図２】図１要部の側面図である。
【図３】図２の上面図である。
【図４】図１の要部を拡大し分解して示す斜視図である。
【図５】図４を組み立てた状態の斜視図である。
【図６】図１の要部を拡大して示し、（ａ）は断面図、（ｂ）は（ａ）の正面図である。
【図７】図６要部の上面図である。
【図８】敷居の調整について説明するための斜視図である。
【図９】この発明のエレベータ乗り場敷居調整治具にかかる第２の実施形態について説明するための概念的な斜視図である。
【図１０】図９要部の側面図である。
【図１１】図１０の上面図である。
【図１２】図９の要部を拡大し分解して示す斜視図である。
【図１３】図１２を組み立てた状態の斜視図である。
【図１４】図９の要部の拡大した分解断面図である。
【図１５】図１４を組み立てた状態の断面図である。
【図１６】図１５の上面図である。
【発明を実施するための形態】
【０００９】
以下、この発明の実施形態について、図面を参照しながら詳細に説明する。なお、以下で説明する図面で、同一機能を有するものは同一符号を付け、その繰り返す説明は省略する。
【００１０】
（第１の実施形態）
図１は、エレベータの乗り場の構造を示す概略図である。
【００１１】
図１において、エレベータの昇降路を画成する仕切り壁１１は、エレベータに乗降するための開口部１２が設けられ、床部分に敷居１３が設けられている。開口部１２には縦枠１４ａ，１４ｂと上枠１５とからなる三方枠が設けられる。すなわち、敷居１３の上方の左右に一対の縦枠１４ａ，１４ｂが設けられ、縦枠１４ａ，１４ｂの上方に上枠１５が設けられている。縦枠１４ａ，１４ｂは、敷居１３に対して垂直に、さらに、縦枠１４ａ，１４ｂは互いに平行に設けられている。
【００１２】
昇降路の頂部から敷居１３の位置を調整する芯出し線として一対のピアノ線１６ａ，１６ｂが鉛直に垂れ下げられている。ピアノ線１６ａ，１６ｂの間隔は、縦枠１４ａと１４ｂとほぼ同じ間隔である。ピアノ線１６ａ，１６ｂには、それぞれ錘が取り付けられ、錘によって適度な張力が加えられている。
【００１３】
図２は、図１の敷居部分を敷居調整治具とともに示す側面図であり、また、図３はその上面図である。
【００１４】
図２に示すように、敷居１３の下面には、例えば長尺状の金属板からなる支持部材１７が図示しない固定手段で固定されている。支持部材１７の長手方向の両端は、下方に曲げて支持片１７ａ，１７ｂが構成されている。
【００１５】
図４は、図１の主要部分を分解して示す斜視図であり、図５は、図１の主要部分を示す図である。
【００１６】
図４に示すように、支持片１７ａ，１７ｂには鉛直方向に長孔１８がそれぞれ形成されている。図４では支持片１７ａ側を示しているが、支持片１７ｂ側も同様に長孔１８が形成されている。
【００１７】
図２に示すように、支持部材１７はその両端に設けられた支持片１７ａ，１７ｂにより、固定部材１９ａ，１９ｂのそれぞれに取り付けられている。固定部材１９ａ，１９ｂは、直角に曲げられた取付片１９１と固定片１９２からそれぞれ構成される。固定部材１９ａ，１９ｂの取付片１９１には、図４に示すようにそれぞれ水平方向に長孔２０が形成されている。図４では固定部材１９ａ側を示しているが、固定部材１９ｂ側も同様に長孔２０が形成されている。
【００１８】
図５に示すように、固定部材１９ａ，１９ｂは仕切り壁１１に打ち込まれる固着手段として４本のアンカーボルト２１でそれぞれ仕切り壁１１に固着されている。
【００１９】
固定部材１９ａの長孔２０と支持片１７ａの長孔１８には、図４に示すようにボルト２２が挿通されナット２３を締め込んで、図５に示すように支持片１７ａを固定部材１９ａに固定する。同じように、固定部材１９ｂの長孔２０と支持片１７ｂの長孔１８にもボルト２２が挿通され、ナット２３を締め込み支持片１７ｂを固定部材１９ｂに固定している。
【００２０】
また、図２に示すように、敷居１３の長手方向側面１３１には、調整治具２４ａ，２４ｂが２本の固定ネジ２５により固定されている。調整治具２４ａ，２４ｂは、上下方向に延長された短冊状の平板材で構成され、上下方向の両端をほぼ直角に曲げ形成した、上部調整片２４１と下部調整片２４２を備えている。調整治具２４ａ，２４ｂは、コの字形状をしている。上部調整片２４１と下部調整片２４２には、芯出しに用いるＵ字状の切欠き２４３，２４４が形成されている。
【００２１】
上部調整片２４１と下部調整片２４２は、必ずしも直角に曲げる必要はない。要は、敷居１３が設計値に従って据え付けられた状態で、ピアノ線１６ａ，１６ｂが切欠き２４３，２４４に対し、ほぼ同じ位置に位置付けされればよい。
【００２２】
調整治具２４ａ，２４ｂの背面側は、上部調整片２４１と下部調整片２４２が上下になるように敷居１３に取り付けられる。このとき、敷居１３の上面１３２と調整治具２４ａは、直角に固定されるとともに、調整治具２４ａ，２４ｂの長手方向の側縁は、鉛直方向に位置した状態で固定される。
【００２３】
また、図５に示すように，上部調整片２４１の切欠き２４３と下部調整片２４２の切欠き２４４は、同一の鉛直線上に位置が一致するように形成されている。敷居１３は、上部調整片２４１の切欠き２４３および下部調整片２４２の切欠き２４４が一致するように、ピアノ線１６ａで芯出しし、ボルト２２にナット２３を締め付けて固定されている。
【００２４】
上部調整片２４１上面の切欠き２４３の周辺には、芯出しするための目安とするけがき線２４５ａと切欠き２４３を跨いだけがき線２４５ｂが形成されている。同様に、図４に示す下部調整片２４２上面の切欠き２４４の周辺には、芯出しするための目安とするけがき線２４６ａ，２４６ｂが形成されている。
【００２５】
ピアノ線１６ａが、けがき線２４５ａと２４５ｂの中心にくるように敷居１３を固定する。また、ピアノ線１６ｂが、けがき線２４６ａと２４６ｂの中心にくるように敷居１３を固定する。これにより、敷居１３は水平方向と仰角方向に調整された状態の据え付けが可能となる。
【００２６】
なお、上部調整片２４１と下部調整片２４２にはそれぞれ芯出し用の２つの切欠きが形成されている。２つの切欠き形成の理由としては、ピアノ線１６ａ，１６ｂの垂下位置と調整治具２４ａ，２４ｂの位置関係で切欠きを選択可能とするものである。
【００２７】
また、他の理由としては、固定部材１９ａ，１９ｂと支持片１７ａ，１７ｂをボトル２２とナット２３で締め付け固定する場合に、調整治具２４ａ．２４ｂの位置をずらしたい状況を考慮したものである。上部調整片２４１と下部調整片２４２にそれぞれ形成した芯出し用の切欠きは、２つに限定する必要はなく、３つ以上でもよい。
【００２８】
次に、敷居１３を、水平方向と仰角方向に調整した状態の据え付けについてさらに説明する。
【００２９】
図６（ａ）は敷居１３と調整治具１６の断面図を示し、図６（ｂ）は図６（ａ）の正面図を示している。
【００３０】
上記したように、図６（ａ）に示す敷居１３の上面１３２と調整治具２４ａの背面との取付角度ａ１は、直角である。また、上部調整片２４１と調整治具２４ａの表面との曲げ角度ａ２それに下部調整片２４２と調整治具２４ａの表面との曲げ角度ａ３は、いずれも直角である。図６（ｂ）に示すように、敷居１３の上面１３２と調整治具２４ａの長手方向の側縁との取付角度ａ４は、直角である。
【００３１】
そして、図７に示すように、ピアノ線１６ａと調整治具２４ａの上部調整片２４１の切欠き２４３の周辺に形成したけがき線２４５ａと２４５ｂの中心に位置するように敷居１３の水平角度や仰角の調整を行う。
【００３２】
また、ピアノ線１６ａと調整治具２４ａの下部調整片２４２の切欠き２４４周辺に形成したけがき線２４６ａと２４６ｂの中心に位置するように、敷居１３の水平角度や仰角の調整を行う。
【００３３】
上部調整片２４１の切欠き２４３の対向側面のいずれかに当接している場合は、水平が取れていないことを意味する。例えば、図７の切欠きの左側にピアノ線１６ａが当接している場合は、敷居１３は縦枠１４ｂ側が低くなっていると考えられる。この場合は、縦枠１３ａ側の敷居１３を下げるか、敷居１３は縦枠１４ｂ側を高くする。敷居１３の長手方向の何れを上げ下げするかは、敷居１３の仰角との関係で決定する。
【００３４】
上部調整片２４１の切欠き２４３の底の部分にピアノ線１６ａが当接している場合は、敷居１３が調整する側に低くなっていると考えられる。逆に、下部調整片２４２の切欠き２４４の底の部分にピアノ線１６ａが当接している場合は、敷居１３が縦枠１４ａ側に低くなっていると考えられる。
【００３５】
このような傾き情報に基づき、敷居１３の水平方向と仰角方向の調整を行う。
【００３６】
同じようにして、ピアノ線１６ｂと調整治具２４ｂの上部調整片２４１の切欠き２４３周辺に形成したけがき線２４５ａと２４５ｂの中心に位置するように敷居１３の水平角度や仰角の調整を行う。また、ピアノ線１６ｂの調整治具２４ｂの下部調整片２４２の切欠き２４４周辺に形成したけがき線２４６ａと２４６ｂの中心に位置するように敷居１３の水平角度や仰角の調整を行う。
【００３７】
敷居１３の水平角度や仰角の調整方法について図８を参照して説明する。
【００３８】
まず、固定部材１９ａ，１９ｂを設計値に基づき、アンカーボルト２１でそれぞれ仕切り壁１１に固着する。次に、支持片１７ａと固定部材１９ａをボルト２２とナット２３で仮固定するとともに、支持片１７ｂと固定部材１９ｂをボルト２２とナット２３で仮りに固定する。
【００３９】
この状態で、ピアノ線１６ａが調整治具２４ａの上部調整片２４１上のけがき線２４５ａと２４５ｂの中心にあるかと、下部調整片２４２上のけがき線２４６ａと２４６ｂの中心にあるかを見る。
【００４０】
ここで、ピアノ線１６ａが上部調整片２４１上のけがき線２４５ａと２４５ｂの中心にない場合の調整を考える。この場合は、ボルト２２を中心にして支持片１７ａを、図中矢印ＡｕまたはＡｄ方向とＡｌまたはＡｒ方向に長孔１８，２０に沿って動かす。そして、上部調整片２４１上のけがき線２４５ａと２４５ｂの中心にピアノ線１６ａが位置するように調整する。調整後は、ボルト２２とナット２３を締め付け、支持片１７ａと取付片１９１を固定する。
【００４１】
次に、ピアノ線１６ａが下部調整片２４２上のけがき線２４６ａと２４６ｂの中心にない場合の調整を考える。この場合は、ボルト２２を中心にして支持部材１７を図中矢印ＲｌまたはＲｒ方向に回動させる。そして、下部調整片２４２上のけがき線２４６ａと２４６ｂの中心にピアノ線１６ａが位置するように調整する。調整後は、ボルト２２とナット２３を締め付け、支持片１７ａと取付片１９１を固定する。
【００４２】
同じように、ピアノ線１６ｂが調整治具２４ｂの上部調整片２４１上のけがき線２４５ａと２４５ｂの中心にあるかと、下部調整片２４２上のけがき線２４６ａと２４６ｂの中心にあるかを見る。ピアノ線１６ｂが上部調整片２４１上のけがき線２４５ａと２４５ｂの中心にない場合、あるいは下部調整片２４２上のけがき線２４６ａと２４６ｂの中心にない場合は、それぞれが中心になるように上記と同様の調整する。調整後は、ボルト２２とナット２３を締め付け、支持片１７ｂと固定部材１９ｂを固定する。
【００４３】
なお、ボルト２２とナット２３による支持片１７ａと取付片１９１の最終的な締め付けは、ピアノ線１６ｂとの位置調整が終了した支持片１７ｂと固定部材１９ｂを固定するボルト２２とナット２３の締め付け後に行う。
【００４４】
このように敷居１３と調整治具２４ａ，２４ｂのそれぞれ取付位置関係は、直角になっている。これにより、ピアノ線１６ａ，１６ｂが上部調整片２４１の切欠き２４３と下部調整片２４２の切欠き２４４のそれぞれけがき線の中心に芯出しされた場合の敷居１３の長手方向には水平となる。敷居１３の上面１３２は、エレベータ乗り場面に対する仰角ゼロ度（同一面）となる。
【００４５】
なお、敷居１３据え付け後の調整治具２４ａ，２４ｂは、取り外される。敷居１３は、踏板としてむき出しのままでもかなわないが、上面１３２上に図示しない化粧板を取り付けてもよい。
【００４６】
この実施形態では、上下に芯出し用の切欠きを形成した調整治具を、三方枠の左右縦枠近傍の敷居に取り付け、敷居の位置を調整するピアノ線でそれぞれの調整治具の切欠きに位置合わせするようにした。これにより、寸法計測作業の手間を削減し、エレベータの乗り場の敷居の調整時間の短縮化を図ることができる。
【００４７】
（第２の実施形態）
次に、この発明のエレベータの乗り場敷居調整治具にかかる第２の実施形態について説明する。
【００４８】
この実施形態は、敷居１３の長手方向の水平調整と敷居１３の上面１３２のエレベータ乗り場面に対する仰角調整に加え、三方枠の縦枠１４ａ，１４ｂに対する敷居１３の幅方向の距離調整を行うようにした。
【００４９】
図９に示すように、敷居１３の上面１３２と側面１３１には、これらに沿って直角に曲げた逆Ｌ字状の調整部材２６ａ，２６ｂを備えている。図１２に示すように、調整部材２６ａ，２６ｂは、取着片２６１と連結片２６２から構成されている。
【００５０】
取着片２６１は、調整治具２４ａ，２４ｂの背面と敷居１３の側面１３１との間に配置されている。また、連結片２６２は、取着片２６１に対して直交するように一体的に形成され、敷居１３の上面１３２上を横切るように配置されている。
【００５１】
連結片２６２は、図１１、図１６に示すように、幅広部２６２ａと幅狭部２６２ｂにより凸状に形成されている。そして、幅広部２６２ａと幅狭部２６２ｂのコーナー部２６２ｃの角度ａ６は、直角にしてある。敷居１３を据え付けるときは、このコーナー部２６２ｃを断面が矩形の縦枠１４ａ，１４ｂのコーナー部分に当接した状態で行う。
【００５２】
次に、敷居１３の水平方向と仰角方向の調整と、縦枠１４ａ，１４ｂに対する敷居１３の距離の調整について説明する。
【００５３】
調整部材２６ａは、図１２乃至図１５に示すように、連結片２６２を敷居１３の上面１３２に乗せたまま取着片２６１を、調整治具２４ａの背面と敷居１３の側面１３１との間に挟み込み、４本の固定ネジ２５で、固定している。図１２乃至図１５では、調整部材２６ａと調整治具２４ａの取り付けについて示しているが、調整部材２６ｂと調整治具２４ｂについても固定ネジ２５を用い同様に固定している。
【００５４】
ピアノ線１６ａと調整治具２４ａ、それにピアノ線１６ａと調整治具２４ａを用いた敷居１３との水平方向と仰角方向の調整方法については、第１実施形態の説明と同じように行う。ここでは、縦枠１４ａ，１４ｂに対する敷居１３の幅方向の距離調整を中心にして説明する。
【００５５】
水平方向と仰角方向の調整した時点で、敷居１３の据え付け位置は、概ね決まってきている。従って、縦枠１４ａ，１４ｂに対する敷居１３の幅方向における距離調整としては、微妙な調整を加える程度である。その具体的な調整寸法としては、例えば数ミリ〜十数ミリ程度である。
【００５６】
縦枠１４ａ，１４ｂに対する敷居１３の距離調整は、図１６に示すように調整部材２６ａのコーナー部２６２ｃを縦枠１４ａ，１４ｂに当てるだけでよい。つまり、調整部材２６ａ，２６ｂの取着片２６１から幅広部２６２ａの長さＬは、調整部材２６ａと２６ｂが同形状のものを使用した場合、同じである。
【００５７】
従って、調整部材２６ａのコーナー部２６２ｃを縦枠１４ａに当てたときの敷居１３までの距離と調整部材２６ｂのコーナー部２６２ｃを縦枠１４ｂに当てたときの敷居１３までの距離は同じとなる。調整の度に、別に用意したメジャーなどを用いた寸法計測をする必要がない。
【００５８】
このように、敷居１３と三方枠の縦枠１４ａ，１４ｂに調整部材２６ａ，２６ｂの一部を当てるだけの作業で、縦枠１４ａと調整部材２６ａそれに縦枠１４ｂと調整部材２６ｂの幅方向の距離調整が可能となる。調整部材２６ａ，２６ｂは、調整治具２４ａ，２４ｂに共締めされることから、敷居１３の取り付け作業も、調整治具２４ａ，２４ｂの取り付け作業の中で同時にすることができる。
【００５９】
なお、図１６に示すように、調整部材２６ａ，２６ｂの連結片２６２の幅狭部２６２ｂに目盛り１６１を付けることで、別に用意したメジャー等を用いた寸法計測をすることなく、敷居１３の幅方向の微調整を行うことができる。
【００６０】
この実施形態では、上下に芯出し用の切欠きを形成した調整治具を、三方枠の左右縦枠近傍の敷居に取り付け、敷居の位置を調整するピアノ線でそれぞれの調整治具の切欠きに位置合わせするようにした。さらに、敷居と三方枠の左右縦枠との距離も調整治具と一体的にした調整部材を追加した。これにより、寸法計測作業の手間を削減し、エレベータの乗り場の敷居の調整時間をさらに短縮化することができる。
【００６１】
次に、この発明の第２の実施形態の変形例について説明する。
【００６２】
この変形例は、敷居１３の水平調整と敷居１３の仰角調整に加え、三方枠の縦枠１４ａ，１４ｂに対する敷居１３の距離調整を、別体の調整治具２４ａ（２４ｂ）と調整部材２６ａ（２６ｂ）で行っている。この実施形態は、調整治具２４ａ（２４ｂ）と調整部材２６ａ（２６ｂ）とを一体化している。
【００６３】
調整治具２４ａ（２４ｂ）と調整部材２６ａ（２６ｂ）を一体化した場合は、部品点数を削減することがでかる。さらに、それぞれを固定する場合の位置調整も部品が少なくなった分の調整が少なくなり、敷居据え付け作業時の作業工数を少なくすることができ、作業効率向上に寄与することができる。
【００６４】
この発明は、上記した実施形態に限定されるものではない。例えば、支持部材１７の支持片１７ａ，１７ｂにそれぞれ形成された長孔１８は鉛直方向に長くしたが、水平方向に長くしてもよい。このとき、固定部材１９ａの取付片１９１に形成された長孔２０は鉛直方向な長くする。
【００６５】
さらに、支持片１７ａ，１７ｂの長孔１８の長く形成する方向と取付片１９１の長孔２０の長くする方向は合わせる必要はない。要は、支持部材１７がボルト２２を中心に上下左右に移動可能であれば、他の構成でも構わない。
【００６６】
いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、組み合わせ、変更を行うことができる。これら実施形態やその変形は、発明の範囲や要旨に含まれるとともに、特許請求の範囲に記載された発明とその均等の範囲に含まれる。
【符号の説明】
【００６７】
１１  仕切り壁
１２  開口部
１３  敷居
１４ａ，１４ｂ  縦枠
１５  上枠
１６ａ，１６ｂ  ピアノ線
１７  支持部材
１７ａ，１７ｂ  支持片
１８，２０  長孔
１９ａ，１９ｂ  固定部材
１９１  取付片
１９２  固定片
２４ａ，２４ｂ  調整治具
２４１  上部調整片
２４２  下部調整片
２４３，２４４  切欠き
２４５ａ，２４５ｂ，２４６ａ，２４６ｂ  けがき線
２６ａ，２６ｂ  調整部材
２６１  取着片
２６２  連結片
２６２ａ  幅広部
２６２ｂ  幅狭部
２６２ｃ  コーナー部
１６１  目盛り
【図１】
2014028672.tif 000003
【図２】
2014028672.tif 000004
【図３】
2014028672.tif 000005
【図４】
2014028672.tif 000006
【図５】
2014028672.tif 000007
【図６】
2014028672.tif 000008
【図７】
2014028672.tif 000009
【図８】
2014028672.tif 000010
【図９】
2014028672.tif 000011
【図１０】
2014028672.tif 000012
【図１１】
2014028672.tif 000013
【図１２】
2014028672.tif 000014
【図１３】
2014028672.tif 000015
【図１４】
2014028672.tif 000016
【図１５】
2014028672.tif 000017
【図１６】
2014028672.tif 000018
【手続補正書】
【提出日】平成25年11月27日(2013.11.27)
【手続補正１】
【補正対象書類名】特許請求の範囲
【補正対象項目名】請求項１
【補正方法】変更
【補正の内容】
【請求項１】
乗り場の敷居の位置調整を行うエレベータ乗り場敷居調整治具であって、
前記敷居の側面に固定し、上部および下部調整片のそれぞれに切欠きが一体形成された調整治具を備え、
前記エレベータ昇降路の頂部から垂れ下げた芯出し線と前記上部および下部調整片のそれぞれ切欠きとの位置関係で前記敷居の水平方向と前記乗り場面との仰角の調整を行うことを特徴とするエレベータ乗り場敷居調整治具。
【手続補正２】
【補正対象書類名】特許請求の範囲
【補正対象項目名】請求項８
【補正方法】変更
【補正の内容】
【請求項８】
請求項１の一体形成された上部および下部調整片を備えた調整治具を用い、エレベータ昇降路の頂部から垂れ下げた芯出し線とで敷居の調整を行う敷居調整方法にあって、
先ず、前記芯出し線に対し、前記上部（下部）の調整片の切欠きの正しい位置にくるように調整し、
次に、前記芯出し線に対し、前記下部（上部）の調整片の切欠きの正しい位置にくるように調整したことを特徴とする敷居調整方法。
【手続補正３】
【補正対象書類名】明細書
【補正対象項目名】０００６
【補正方法】変更
【補正の内容】
【０００６】
この発明のエレベータ乗り場敷居調整治具は、乗り場の敷居の位置調整を行うエレベータ乗り場敷居調整治具であって、前記敷居の側面に固定し、上部および下部調整片のそれぞれに切欠きが一体形成された調整治具を備え、前記エレベータ昇降路の頂部から垂れ下げた芯出し線と前記上部および下部調整片のそれぞれ切欠きとの位置関係で前記敷居の水平方向と前記乗り場面との仰角の調整を行う。
【手続補正４】
【補正対象書類名】明細書
【補正対象項目名】０００７
【補正方法】変更
【補正の内容】
【０００７】
また、この発明の敷居調整方法は、一体形成された上部および下部調整片を備えた調整治具を用い、エレベータ昇降路の頂部から垂れ下げた芯出し線とで敷居の調整を行う敷居調整方法にあって、先ず、前記芯出し線に対し、前記上部（下部）の調整片の切欠きの正しい位置にくるように調整し、次に、前記芯出し線に対し、前記下部（上部）の調整片の切欠きの正しい位置にくるように調整した。
【手続補正５】
【補正対象書類名】明細書
【補正対象項目名】００２９
【補正方法】変更
【補正の内容】
【００２９】
図６（ａ）は敷居１３と調整治具２４ａの断面図を示し、図６（ｂ）は図６（ａ）の正面図を示している。
【手続補正６】
【補正対象書類名】明細書
【補正対象項目名】００３３
【補正方法】変更
【補正の内容】
【００３３】
上部調整片２４１の切欠き２４３の対向側面のいずれかに当接している場合は、水平が取れていないことを意味する。例えば、図７の切欠きの左側にピアノ線１６ａが当接している場合は、敷居１３は縦枠１４ｂ側が低くなっていると考えられる。この場合は、縦枠１４ａ側の敷居１３を下げるか、敷居１３は縦枠１４ｂ側を高くする。敷居１３の長手方向の何れを上げ下げするかは、敷居１３の仰角との関係で決定する。
【手続補正７】
【補正対象書類名】明細書
【補正対象項目名】００６３
【補正方法】変更
【補正の内容】
【００６３】
調整治具２４ａ（２４ｂ）と調整部材２６ａ（２６ｂ）を一体化した場合は、部品点数を削減することができる。さらに、それぞれを固定する場合の位置調整も部品が少なくなった分の調整が少なくなり、敷居据え付け作業時の作業工数を少なくすることができ、作業効率向上に寄与することができる。
【手続補正８】
【補正対象書類名】図面
【補正対象項目名】図２
【補正方法】変更
【補正の内容】
【図２】
2014028672.tif 000019
【手続補正９】
【補正対象書類名】図面
【補正対象項目名】図９
【補正方法】変更
【補正の内容】
【図９】
2014028672.tif 000020